(57)【要約】【課題】車椅子ユーザーが使用する際に動作開始ボタンと動作停止ボタンを容易に操作できるようにして、非健常者に対する操作性を向上させるものである。【解決手段】第一の操作手段を包括する第一の操作部と、第二の操作手段を包括する第二の操作部とを有し、該第一の操作部と該第二の操作部は、それぞれ個別に第一の操作位置と第二の操作位置とを有し、第一の操作部の操作位置を変位させる動作に連動して、第二の操作部の操作可能位置が変位する連動機構を有し、該第一の操作部が第一の操作位置から第二の操作位置へ変位する変位量と、第二の操作部が第一の操作位置から第二の操作位置へ変位する変位量が異なるように構成したものである。【選択図】　　　　図１
2004021179.tif 000002
【特許請求の範囲】
【請求項１】
第一の操作手段を包括する第一の操作部と、第二の操作手段を包括する第二の操作部とを有し、該第一の操作部と該第二の操作部は、それぞれ個別に第一の操作位置と第二の操作位置とを有する操作装置に於いて、該第一の操作部が第一の操作位置から第二の操作位置へ変位する変位量と、該第二の操作部が第一の操作位置から第二の操作位置へ変位する変位量が異なることを特徴とした操作装置。
【請求項２】
第一の操作手段を包括する第一の操作部と、第二の操作手段を包括する第二の操作部とを有し、該第一の操作部と該第二の操作部は、それぞれ個別に第一の操作位置と第二の操作位置とを有し、第一の操作部の操作位置を変位させる動作に連動して、第二の操作部の操作可能位置が変位する連動機構を有する操作装置に於いて、該第一の操作部が第一の操作位置から第二の操作位置へ変位する変位量と、該第二の操作部が第一の操作位置から第二の操作位置へ変位する変位量が異なることを特徴とした操作装置。
【請求項３】
第一の操作手段は動作条件を入力する手段であり、第二の操作手段は動作開始を決定する手段又は動作停止を決定する手段であることを特徴とした請求項１または請求項２記載の操作装置。
【請求項４】
第二の操作部が第一の操作位置から第二の操作位置まで移動する移動量を可変可能としたことを特徴とした請求項１または請求項２記載の操作装置。
【請求項５】
第二の操作部の第二の操作位置は、第二の操作部における第二の操作手段が配設されている面が第一の操作手段の第二の操作位置における第一の操作手段が配設されている面に対して所定の角度をなすように構成されていることを特徴とした請求項１または請求項２記載の操作装置。
【請求項６】
所定の角度が１０度から４５度の間に設定されていることを特徴とする請求項５記載の操作装置。
【請求項７】
第一の操作部の第二の操作位置は、第一の操作部における第一の操作手段が配設されている面が略垂直方向であることを特徴とした請求項６記載の操作装置。
【請求項８】
第一の操作部及び第二の操作部における第一の操作位置と第二の操作位置の間に於いて少なくとも１ケ所以上の操作位置をもつことを特徴とした請求項６記載の操作装置。
【請求項９】
複写条件を入力する第一の操作手段及び複写動作開始を決定する手段又は複写動作停止を決定する第二の操作手段を有する画像形成装置において、前記第一の操作手段及び第二の操作手段として、請求項１〜請求項８のうちのいずれか１項記載の操作装置を備えたことを特徴とする画像形成装置。
【発明の詳細な説明】
【０００１】
【発明の属する技術分野】
本発明は第一の操作手段を包括する第一の操作部と、第二の操作手段を包括する第二の操作部とを有し、該第一の操作部と該第二の操作部は、それぞれ個別に第一の操作位置と第二の操作位置とを有する操作装置および該操作装置を適用した複写機、ファクシミリ等の画像形成装置に関するものである。
【０００２】
【従来の技術】
従来、非健常者が使用可能な複写機等の操作装置は、図１４に示すようなものが案出されている。複写動作開始ボタン１と複写動作停止ボタン２、及び複写部数を入力するためのテンキー３−、及び複写画像の状態を設定したり機器の状態をモニターすることができる液晶タッチパネル４は操作部５の上面にあって、ユーザーが機器に対して様々な入力作業が行えるようになっている。
【０００３】
又、通常操作部５は複写装置本体１００の手前上面側に配設されており、ユーザーは機器本体１００の手前側に立って操作基台上にある複写動作開始ボタン１、複写動作停止ボタン２、テンキー３、液晶タッチパネル４等の操作手段１０を操作して機器本体１００を作動させるしくみになっている。
【０００４】
操作部５は図１５（ａ），（ｂ）に示すように、回転中心軸１１を中心に回動可能な状態に配設されており、基本的には操作部５が略水平となる第一の動作位置Ａと、操作部５が略垂直になる第二の操作位置Ｂとの二位置を回転中心軸１１を中心に回動して変位する。該第一の動作位置Ａは、健常者及び立ち位置にて作業可能なユーザーのための操作位置であって、ユーザーは操作部５を上方から操作し、操作手段１０を指で押下げて機器本体１００への複写動作を行わせる。
【０００５】
又、該第二の操作位置Ｂは、車椅子のユーザーのための操作位置であって、低い位置からでも操作可能なように操作基台５は機器本体１００の手前側上面における操作支台１２の前面に立位で配設されるようになっている。該第二の操作位置Ｂにおいて、車椅子等のユーザーは、略垂直に配設されている操作部５上の操作手段１０に対して、通常は図１６に示すように手の指１５の先端でそれらを押圧して操作するしくみになっている。
【０００６】
【発明が解決しようとする課題】
車椅子を使用するユーザー等が第二の操作位置Ｂにて操作手段１０を押圧する際には、通常図１６に示すように指１５の先端を使用することになるが、操作手段１０のうち、テンキー３及び液晶タッチパネル４の設定作業については、キーの大きさが比較的小さいということと、設定作業自体が比較的思考を伴う細かい作業であるために、概して人差し指の先端部のみを使用して行うのが一般的である。
【０００７】
そして、その際に操作基台５が略垂直になっていても、上述したような操作を行うことについて特に支障はなく、強いてあげるならば、それぞれのユーザーの目線の高さの違いによって若干補正が必要である程度であり、これは高さ調整機構が備わっていれば問題は解決されるものと考えられている。
【０００８】
ところが、上述したテンキー３や液晶タッチパネル４における機器本体１００への設定作業を行うキーとは異なり、複写動作開始ボタン１と複写動作停止ボタン２は、他の細かい入力作業とは違う操作性が要求される。
【０００９】
簡単に言うと、複写動作開始ボタン１を押圧する際には、機器本体１００に対する複写動作の設定作業が終了して、複写動作を開始させるという強い意思決定を促し易くすることが必要であり、又、複写動作停止ボタン２を押圧する際には、複写動作中に、コピーの誤り等に気づき、急に複写動作を停止することができるということが重要であるということである。
【００１０】
そのために、まず複写動作開始ボタン１と複写動作停止ボタン２は、ユーザーがすぐにそのキーを判別可能とするために他のキーよりも目立つ色で、更には他のキーよりも必ず大きく作られている。又、配置としても通常の人は右手を使用するであろうことを考慮して、操作部５の右側に配置されているのが通常である。
【００１１】
ここで、複写動作開始ボタン１と複写動作停止ボタン２を押圧する際に使用する指１５の使い方について触れてみることにする。テンキー３や液晶タッチパネル４上の設定キーなどについては先述した通り通常は人差し指１５の先端のみを使用する場合が多いが、複写動作開始ボタン１や複写動作停止ボタン２は、「ボタンが比較的大きく作られていること」や「複写動作を開始するという強い意志決定を伝えること」や「緊急時の即座な停止」を行うという理由から、一本の指先よりも力の加わり方の強い複数本の指の腹の部分を使うのが一般的である。略垂直に配設されているこれらのボタンに対して、このような押圧のしかたは非常に難しいものがあった。
【００１２】
その理由として、複写動作開始ボタン１や複写動作停止ボタン２を押圧する場合には、通常の複写機において通常のユーザーがこれを押圧することを考えると、図１８に示すように立位で略水平に配置された操作部５の操作手段１０を押圧する場合には、操作手段１０に対して手の指１５を、手の関節１６を回転中心として回動させて押圧するのが一般的であり、ユーザーにとっても無理のない動作と考えられる。更には、略水平方向に配設された操作部５に対して手の指１５を作用させることは、重力の方向でもあり、これも無理なく操作手段１０を押圧できるということに繋がっている。
【００１３】
同様に、車椅子のユーザーが略垂直に配設された操作部５上の操作手段１０を押圧する場合を考えると、図１７に示すように、略平行に配設された操作基台の場合と同様に、矢印Ｒ側に退避された指１５を、手の関節１６を回転中心として矢印Ｓ側に押圧する方法が一般的であると考えられる。
【００１４】
しかし、略垂直に配設された操作基台５上の操作部１０を押圧するためには、手の関節１６を垂直面から更に矢印Ｒ方向に変位させる必要があり、その位置から矢印Ｓ側に力を加えて操作手段１０を押圧することは、先述した略水平に配設された操作基台５上の操作手段１０を押圧するのと異なり、重力方向でもなく力がいれにくいということと、人間の体の機構上、関節１６を矢印Ｒ方向に曲げること自体が困難であるため、特に力の弱い人の多い車椅子を使用する人にとって非常に困難な作業であった。
【００１５】
又、このことにより、通常下においても体の不自由な車椅子の利用者にとって、更に体を酷使することにもつながり、大きな問題点として採りあげられていた。
【００１６】
本発明は上記従来装置の問題点を解消するためになされたもので、例えば画像形成装置に設けられた立面操作部を車椅子ユーザーが使用する際に、操作部中の複写動作開始ボタン、複写動作停止ボタンを容易に操作できるようにして、非健常者に対する操作性を向上することを目的とする。
【００１７】
【課題を解決するための手段】
本発明は下記の構成を有することを特徴とする操作装置及び画像形成装置である。
【００１８】
（１）第一の操作手段を包括する第一の操作部と、第二の操作手段を包括する第二の操作部とを有し、該第一の操作部と該第二の操作部は、それぞれ個別に第一の操作位置と第二の操作位置とを有する操作装置に於いて、該第一の操作部が第一の操作位置から第二の操作位置へ変位する変位量と、該第二の操作部が第一の操作位置から第二の操作位置へ変位する変位量が異なることを特徴とした操作装置。
【００１９】
（２）第一の操作手段を包括する第一の操作部と、第二の操作手段を包括する第二の操作部とを有し、該第一の操作部と該第二の操作部は、それぞれ個別に第一の操作位置と第二の操作位置とを有し、第一の操作部の操作位置を変位させる動作に連動して、第二の操作部の操作可能位置が変位する連動機構を有する操作装置に於いて、該第一の操作部が第一の操作位置から第二の操作位置へ変位する変位量と、該第二の操作部が第一の操作位置から第二の操作位置へ変位する変位量が異なることを特徴とした操作装置。
【００２０】
（３）第一の操作手段は動作条件を入力する手段であり、第二の操作手段は動作開始を決定する手段又は動作停止を決定する手段であることを特徴とした（１）または（２）記載の操作装置。
【００２１】
（４）第二の操作部が第一の操作位置から第二の操作位置まで移動する移動量を可変可能としたことを特徴とした（１）または（２）記載の操作装置。
【００２２】
（５）第二の操作部の第二の操作位置は、第二の操作部における第二の操作手段が配設されている面が第一の操作手段の第二の操作位置における第一の操作手段が配設されている面に対して所定の角度をなすように構成されていることを特徴とした（１）または（２）記載の操作装置。
【００２３】
（６）所定の角度が１０度から４５度の間に設定されていることを特徴とする（５）記載の操作装置。
【００２４】
（７）第一の操作部の第二の操作位置は、第一の操作部における第一の操作手段が配設されている面が略垂直方向であることを特徴とした（６）記載の操作装置。
【００２５】
（８）第一の操作部及び第二の操作部における第一の操作位置と第二の操作位置の間に於いて少なくとも１ケ所以上の操作位置をもつことを特徴とした（６）記載の操作装置。
【００２６】
（９）複写条件を入力する第一の操作手段及び複写動作開始を決定する手段又は複写動作停止を決定する第二の操作手段を有する画像形成装置において、前記第一の操作手段及び第二の操作手段として、（１）〜（８）のうちのいずれか１項記載の操作装置を備えたことを特徴とする画像形成装置。
【００２７】
【発明の実施の形態】
（第１の実施例）
図１は本発明の操作装置を画像形成装置の操作装置として適用した第１の実施例を示す斜視図であり、機器本体１００の手前側上面には操作支台１２があって、第一の操作部５ａと第二の操作部５ｂとが後述の回転中心軸１１ａ，１１ｂを中心に回動自在に配設されている。
【００２８】
第一の操作部５ａには、テンキー３、液晶タッチパネル４、更には設定状態を初期化するためのクリヤーボタン５０が設けられている。又、第二の操作部５ｂには複写動作開始ボタン１と複写動作停止ボタン２が設けられている。第一の操作部５ａと第二の操作部５ｂは通常は図１のように操作手段１０ａ、１０ｂが略水平の状態になっており、一般のユーザーが立位にて操作手段１０ａ、１０ｂを押圧操作して複写作業を行うようになっている。
【００２９】
ここで、第一の操作部５ａと第二の操作部５ｂにはそれぞれ操作部係止部材６ａ、６ｂがあって、略平行になっている第一の操作部５ａ、第二の操作部５ｂを係止している。又、操作部押え７ａ、７ｂは略垂直に変位した第一の操作部５ａ、第二の操作部５ｂの操作手段１０を押圧する際に該第一の操作部、第二の操作部自体が押されて動いてしまうことを防止している。
【００３０】
図２に第一の操作部５ａを矢印Ｍ方向から見た断面図を示す。操作部係止部材６ａは、その両端に設けられた溝２０ａ沿って矢印Ｌの方向へとスライド可能に配設されていて、通常は、ばね８ａの力によってＮの方向に付勢されており、第一の操作部５ａを図示の状態に係止している。係止部材６ａを矢印Ｌの方向に解除すると、第一の操作部５ａは回転中心軸１１ａを中心として、巻きばね１３ａの力によって矢印Ｑの方向へと回動する。回動する際に回転中心軸１１ａには、オイルダンパー１４ａがあって、その作用により急激に矢印Ｑ方向へ回動することを防いでいるため、第一の操作部５ａは比較的緩やかに動く仕組みになっている。
【００３１】
その後、図３に示すように、回動した第一の操作部５ａは、第一の操作部５ａの突起ｒ部が、操作支台１２の衝合部ｓに当接して回動を停止する。そして、第一の操作部５ａの背面Ｔ側に操作部押え７ａが作用して第一の操作部５ａ上の操作手段１０を矢印Ｕ側から押圧しても第一の操作部５ａは矢印Ｗ方向に回動しない仕組みになっている。
【００３２】
図４（ａ）は図１において第一の操作部５ａの操作部押え７ａ部分を矢印Ｊから見た平面図である。操作部押え７ａは、第一の操作部５ａが略水平状態になっている際には図示の通りの状態にあって、ばね９ａの力によって常に先端を第一の操作部５ａ側（矢印Ｘの方向）に押圧当接させられている。第一の操作部５ａが先述したような手法により略水平位置から略垂直位置に変位すると、図４（ｂ）に示すように第一の操作部５ａが図示の位置に変位すると共に操作部押え７ａは、ばね９ａの作用によって図示の位置まで移動して第一の操作部５ａの背面に入り込み、第一の操作部５ａ上の操作手段１０を矢印Ｕ方向から押圧しても第一の操作部５ａは動かない仕組みになっている。
【００３３】
又、図４（ｃ）は図４（ａ）を矢印Ｙ方向から見た断面図であり、操作部押え７ａは、その両端部に設けられた溝２１（ａ）に沿ってばね９ａによって矢印Ｘ方向へスライド可能に配設されていて、矢印Ｘ方向へ変位した場合には操作部押え７ａの突起部が操作支台１２の衝合部ｆに当接してスライド移動を停止するしくみになっている。
【００３４】
略垂直に立てられた第一の操作部５ａを元の水平な状態に戻すためには、操作部押え７ａを矢印Ｘとは逆の矢印Ｃ１の方向に付勢しておき、第一の操作部５ａを押して矢印Ｗの方向に回動させ、元の略水平位置まで動かすと操作部係止部材６ａがばね８ａによって付勢され、自動的に第一の操作部５ａを固定する仕組みになっている。
【００３５】
図５に第二の操作部５ｂを図１の矢印Ｍ方向から見た断面図を示す。第二の操作部５ｂが略水平状態に於ける構成は第一の操作部５ａの場合と全く同じであるため説明を省略する。
【００３６】
続いて、図６には第二の操作部５ｂが第一の操作部５ａの場合と同様に操作部係止部材６ｂを解除されて、略水平状態から回動して略立位になった状態を示す。回動するしくみは第一の操作部５ａの場合と全く同様であるが、回動した第二の操作部５ｂが突起ｇを衝合部ｈに当接して回動停止する位置が第一の操作部５ａの場合とは異なり、角度θ２の位置で停止するように設定されている。
【００３７】
これは、衝合部ｈの相対位置が第一の操作部５ａのときの衝合部ｓとは異なっているためで、図７に示すように、第一の操作部５ａと第二の操作部５ｂのそれぞれの回動した後の係止角度はそれぞれθ１、θ２となっている。ここで、θ１は概略９０度近傍に設定されていて、θ２は機器の操作手段の地面からの高さや使用する用途によっても異なるが、概ね４５度から８０度あたりが良いということが本出願人の検討によって明らかになっている。
【００３８】
操作部押え７ｂについても第一の操作部５ａの場合と概ね同様の方式であって、詳細は省略するが、図６において、図示の位置に操作部押え７ｂが配設されていて、立位になった第二の操作部５ｂの背面に当接することによって、第二の操作部５ｂ上にある操作手段１０を矢印Ｖ方向に回動するのを係止している。
【００３９】
車椅子のユーザーが第一の操作部５ａ、第二の操作部５ｂを使用する場合には、図７に示されるような第一の操作部５ａ、第二の操作部５ｂがそれぞれ略垂直、略立位にある状態で使用することになる。その際の操作手法を以下に示す。
【００４０】
第一の操作部５ａ上のテンキー３、液晶タッチパネル４、クリヤーボタン６は、第一の操作部５ａ上で図８に示すように、人差し指１５の先端を使用して矢印Ａ１方向にテンキー３、液晶タッチパネル４、クリヤーボタン６等を押圧することによって機器本体１００の複写動作設定が可能となる。
【００４１】
先にも述べたように、これらのキーは比較的小さいキー構成をとっていることと、設定自体が細かい作業であることから、人差し指を使用して操作するために第一の操作部５ａは略垂直になっていることが望ましい。更には、操作して機器本体１００の設定を行った結果が液晶タッチパネル４に表示されるため、これを視認するためにも第一の操作部５ａは略垂直であることが望ましいといえる。
【００４２】
第二の操作部５ｂには、複写動作開始ボタン１、複写動作停止ボタン２が設けられていて、図９に示すように、略垂直状態からある程度傾いた状態θ２の角度をもって構成されている。これらのキーを押す際には、先述した通り複写動作開始ボタン１、複写動作停止ボタン２が比較的大きいことと、押圧する際にはある程度の意思表示を行うことや、緊急的に押すことがあるために力が必要であること等から、複数本の指１５の腹部を使って矢印Ｐ２方向へ押圧するのが一般的であるため、第二の操作部５ｂは本構成が好ましいといえる。
【００４３】
（第２の実施例）
図１０に本発明の第二の実施例を例示した操作部の平面図を示す。操作部係止部材１７は、第一の操作部５ａと第二の操作部５ｂ双方を係止していて、ばね８ａ、８ｂによって押圧されている。操作部係止部材１７を矢印Ｄ１方向に押し上げると、第一の操作部５ａ、及び第二の操作部５ｂは双方共同時に解除され、あとは第一の実施例の場合と同様に立位状態まで変位する仕組みになっている。図１１は変位後の操作部５ａ、５ｂを示した斜視図である。
【００４４】
（第３の実施例）
又、本発明における第二の操作部５ｂについては、先述した角度θ２を可変とすることも可能である。図１２において、第二の操作部５ｂの回動後の操作位置を決定する衝合部を可変とするために、衝合部材１８を操作支台１２から分離して作成している。衝合部材１８は回転軸１９に対して回動自在に配設されていて、矢印Ｇ１から見ると、図１３に示すように円筒形状をしている。
【００４５】
この円筒形状を成した衝合部材１８に対して回転軸１９は、円筒の中心から外れた位置にあって、衝合部材１８を回転軸１９に対して回転させると、第二の操作部５ｂの衝合部ｈ１はｋ１からｋ２まで動くことになる。その結果、図１２に示すように、第二の操作部はθａからθｂの間で第一の操作位置と第二の操作位置の他に第三、第四の操作位置を選択できるしくみになっている。この機構を採用することにより、ユーザーの目の高さや好みによって複写動作開始ボタン１、複写動作停止ボタン２の配置角度を選択可能となる。
【００４６】
【発明の効果】
以上説明したように、本発明によれば、第一の操作手段を包括する第一の操作部と、第二の操作手段を包括する第二の操作部とを有し、該第一の操作部と該第二の操作部は、それぞれ個別に第一の操作位置と第二の操作位置とを有する操作装置に於いて、該第一の操作部が第一の操作位置から第二の操作位置へ変位する変位量と、該第二の操作部が第一の操作位置から第二の操作位置へ変位する変位量が異なるように構成したので、通常の状態においても身体の不自由である車椅子を使用するユーザーが、操作部の設定作業及び機器の起動／停止作業を行う際に、身体的に無理な作業を課すことなくそれらの操作を行うことが可能となり、例えば複写機、フアックス等の画像形成装置を身体の不自由なユーザーに対してより身近なものにすることができるという効果がある。
【００４７】
本発明によれば、第一の操作手段を包括する第一の操作部と、第二の操作手段を包括する第二の操作部とを有し、該第一の操作部と該第二の操作部は、それぞれ個別に第一の操作位置と第二の操作位置とを有し、第一の操作部の操作位置を変位させる動作に連動して、第二の操作部の操作可能位置が変位する連動機構を有する操作装置に於いて、該第一の操作部が第一の操作位置から第二の操作位置へ変位する変位量と、該第二の操作部が第一の操作位置から第二の操作位置へ変位する変位量が異なるように構成したので、上記と同様に、身体の不自由なユーザーに対する操作性を向上するという効果がある。
【００４８】
本発明によれば、第一の操作手段は動作条件を入力する手段であり、第二の操作手段は動作開始を決定する手段又は動作停止を決定する手段であるように構成したので、操作手段を使用目的に応じて使い分けることができるという効果がある。
【００４９】
本発明によれば、第二の操作部が第一の操作位置から第二の操作位置まで移動する移動量を可変可能としたので、ユーザーに適した操作位置とすることができ、身体の不自由なユーザーに対する操作性を向上するという効果がある。
【００５０】
本発明によれば、第二の操作部の第二の操作位置は、第二の操作部における第二の操作手段が配設されている面が第一の操作手段の第二の操作位置における第一の操作手段が配設されている面に対して所定の角度をなすように構成したので、ユーザーに適した操作位置とすることができ、身体の不自由なユーザーに対する操作性を向上するという効果がある。
【００５１】
本発明によれば、所定の角度が１０度から４５度の間に設定されているので、ユーザーに適した操作位置とすることができ、身体の不自由なユーザーに対する操作性を向上するという効果がある。
【００５２】
本発明によれば、第一の操作部の第二の操作位置は、第一の操作部における第一の操作手段が配設されている面が略垂直方向であるように構成したので、身体の不自由なユーザーに対する操作性を向上するという効果がある。
【００５３】
本発明によれば、第一の操作部及び第二の操作部における第一の操作位置と第二の操作位置の間に於いて少なくとも１ケ所以上の操作位置をもつように構成したので、ユーザーに適した操作位置とすることができ、身体の不自由なユーザーに対する操作性を向上するという効果がある。
【００５４】
本発明によれば、複写条件を入力する第一の操作手段及び複写動作開始を決定する手段又は複写動作停止を決定する第二の操作手段を有する画像形成装置において、前記第一の操作手段及び第二の操作手段として、本発明の操作装置を適用したので、ユーザーに適した操作位置とすることができ、身体の不自由なユーザーに対する操作性を向上させた画像形成装置を得ることができるという効果がある。
【図面の簡単な説明】
【図１】本発明を例示した斜視図
【図２】本発明を例示した第一の操作部の断面図
【図３】本発明を例示した第一の操作部の断面図
【図４】本発明における操作部固定手段を例示したもので、（ａ）は平面図、（ｂ）は平面図、（ｃ）は断面図
【図５】本発明を例示した第二の操作部の断面図
【図６】本発明を例示した第二の操作部の断面図
【図７】本発明を例示した第一及び第二の操作部の断面図
【図８】本発明を例示した第一の操作部の断面図
【図９】本発明を例示した第二の操作部の断面図
【図１０】本発明第二の実施例を例示した操作部の平面図
【図１１】本発明第二の実施例を例示した斜視図
【図１２】本発明第三の実施例を例示した第二の操作部の断面図
【図１３】本発明第三の実施例を例示した衝合部材のの平面図
【図１４】従来例を示した平面図
【図１５】従来例における操作部を例示したもので、（ａ）は断面図、（ｂ）は断面図
【図１６】従来例における操作部の断面図
【図１７】従来例を例示した操作部の断面図
【図１８】従来例を例示した操作部の断面図
【符号の説明】
１　複写動作開始ボタン
２　複写動作停止ボタン
３　テンキー
４　液晶タッチパネル
５ａ　第一の操作部
５ｂ　第二の操作部
６ａ、６ｂ　操作部係止部材
７ａ、７ｂ　操作部押え
８　ばね
９ａ　ばね
１０ａ、１０ｂ　操作手段
１１ａ，１１ｂ　回転中心軸
１２　操作支台
１３ａ　巻きばね
１４ａ　オイルダンパー
１７　操作部係止部材
１８　衝合部材
１９　回転軸
２０ａ　溝
５０　クリヤーボタン
１００　機器本体
【図１】
2004021179.tif 000003
【図２】
2004021179.tif 000004
【図３】
2004021179.tif 000005
【図４】
2004021179.tif 000006
【図５】
2004021179.tif 000007
【図６】
2004021179.tif 000008
【図７】
2004021179.tif 000009
【図８】
2004021179.tif 000010
【図９】
2004021179.tif 000011
【図１０】
2004021179.tif 000012
【図１１】
2004021179.tif 000013
【図１２】
2004021179.tif 000014
【図１３】
2004021179.tif 000015
【図１４】
2004021179.tif 000016
【図１５】
2004021179.tif 000017
【図１６】
2004021179.tif 000018
【図１７】
2004021179.tif 000019
【図１８】
2004021179.tif 000020